(57)【要約】【課題】  長時間の装着に際しても使用者に負担を感じさせることなく、腰痛を効果的に緩和することは勿論、腰部ガードルの上方へのズレを防止するとともに、特に、素肌に直接装着しても、前述する排泄時における支障を回避し得る新規な腰部ガードルを提供すること。【解決手段】  腰部ガードルの構成は、腹部と臀部の上部を包含して緊縛する腹帯部と、該腹帯部に大腿部外側をカバーする左右一対の大腿部保護帯を腹帯部と一体的に形成し、前記保護帯の下端に保護帯を大腿部に止着するための裾口を設けた点に存するものである。【選択図】  図１
2007090008.tif 000002
【特許請求の範囲】
【請求項１】
腰部を緊縛する腰部ガードルであって、腹部と臀部の上部を包含して緊縛する腹帯部と、該腹帯部の大腿部に相当する位置に大腿部外側をカバーする左右一対の大腿部の保護帯を腹帯部と一体的に形成し、前記保護帯の下端に足を挿通する裾口を設けたことを特徴とする腰部ガードル。
【請求項２】
請求項１記載の腰部ガードルにおいて、腹帯部に腰椎部位を緊縛する少なくとも一以上のゴム帯を介装したことを特徴とする腰部ガードル。
【請求項３】
請求項１、２記載の腰部ガードルにおいて、腹帯部と大腿部の保護帯をポリエステル繊維で形成したことを特徴とする腰部ガードル。
【発明の詳細な説明】
【技術分野】
【０００１】  本発明は、腰部ガードルに関し、詳しくは、腰痛を緩和し、あるいは、腰痛の発症の防止を可能とする長時間装着可能な腰部ガードルに関するものである。
【背景技術】
【０００２】  人体の体重を支承する背骨は、頸椎、胸椎、さらに、腰椎からなる脊椎から構成され、この３部分からなる脊椎が形成する緩やかなカーブがバランスをとり、さらに、これら脊椎をとり巻く多数の筋肉とがあいまって体重を支持するとともに配分し、腰へ負荷する上半身の体重の負担を緩和している。【０００３】  腰痛は、老齢化に伴い腰椎の顕著な老化現象にくわえて筋肉が減退して筋力が低下することにより、また、若年者にあっても日常生活において無理な姿勢、前かがみの姿勢をとる等、姿勢が悪くなると、この３つのカーブのバランスが崩れ、特に、腰部への負担が増えることとなり、この姿勢の崩れに起因して脊椎と脊椎の間に存在する椎間板が圧迫され、圧迫された椎間板が変形して押し出され、股関節の近傍にある大腿神経や仙腸関節近傍に存在する座骨神経の神経根を圧迫し、腰痛の発生原因となる。また、過度の肥満により椎間板を圧迫し、この場合も腰痛が生じる。【０００４】  腰痛を防止し、あるいは、腰痛を回避するためには、正しい姿勢を保つことが必要なものであるが、正しい姿勢を保つためには腹筋と背筋のバランスが重要なものであり、とりわけ腹筋（内腹圧）の機能が重要な役割を占めるものであって適度な運動により腹筋を強化することが必要であるものの、年齢とともに腹筋が衰え、運動により強化することにも限界を生じることとなる。【０００５】  このため、腰痛の発症時においては、腰の動きを妨げず、正しい姿勢を保持し、脊椎の変形を防止でき、腹筋（内腹圧）を強化することから、腰椎部分を固定するコルセット（あるいは、腰痛ベルトとも称する。）を着用することが推奨されている。従来から種々の構造を有する腰痛ベルトが提案されているが、これらの腰痛ベルトにあっては、腰部を巻回する弾力あるベルトの後部中心部に柔軟性を有するボーンを着装し、ベルト前部両端は自由にアジャストでき得るそれぞれ係止具にて一体に連結する構成のものが採用されている。【０００６】  ところで、腰痛ベルトは、常時装着することによって、腰痛の軽減・緩和に効果が発揮できる。しかしながら、長時間の使用に際しては、日常生活上において種々の障害をもたらすこととなり、すなわち、一日２４時間の生活リズムの中には、当然、排泄・入浴などの行動を伴うが、かかる行動を行うに際して腰痛症を発症している者にとって腰部に負担がかかる。従来の腰痛ベルトでは、その素材としてデニム地のごとく強度を有する素材を使用し、また、柔軟性を有するとはいえボーンを着装していることから下着の上に装着することを余儀なくされるために、特に、排泄時にあっては下着のあげおろしが困難で、このことから下着のあげおろし時に腰痛ベルトの装着を取り外す必要があり、また、入浴時においても同様に腰痛ベルトを取り外す必要がある。しかしながら、腰痛症を発症している高齢者にとって、スムースな行動を支える腰痛ベルトを取り外すことには痛みの発生という不安を感じ、腰痛のために排泄行動が単独に行うことが困難となれば、当然、介護が必要となり、このことから日常生活における行動を自ら制約し、いたずらに身体機能である歩行機能の低下をもたらし、はなはだしい場合には歩行できなくなって、寝たきり状態になる。【０��０７】  前述の問題を解消するためには腰痛ベルトを素肌に直接に着用することが考えられるが、前述するとおり従来の腰痛ベルト構造における問題、即ち、その素材としてデニム地のごとく強度を有する素材を使用し、また、柔軟性を有するとはいえボーンを着装する構造を有することから、腰痛ベルトを緊縛したときに素材と肌との擦れ合いによる不快な摩擦感、あるいは、皮膚の炎症を生起し、また、前記ボーンが素肌に食い込むことから苦痛を感じることになる。【０００８】  加えて、ボーンの存在によって、体形に密着せずに使用中にずれ上がりを生じ、その効果を減退させる虞を有し、これを解決する腰痛ベルトも提案されている。即ち、腰椎部位を緊縛するベルトの移動を防止する大腿部の鼠頸部に巻回させる固定用のベルトを一体的に具備するものであるが、かかる構成にあっては、固定用のベルトを腰部から大腿部へ移行する所謂、鼠頸部の近傍において巻回させるものであることから、時として排泄時において汚損することになる。【０００９】  加えて、かかる腰痛ベルトにあっては、腰部に装着するベルト、左右の大腿部の鼠頸部に装着するベルト等、装着するに際して多数のベルトを身体に巻回することが必要であって、高齢者にあっては、錯綜する多数のベルトを選別し、それぞれを確実に装着する作業に苦労を要するもので、排泄時の汚損を防止するために腰痛ベルトの着脱作業をその都度繰り返すことに煩わしさを感じることになる。
【特許文献１】  特開平０９−１３５８５６号公報
【特許文献２】  特開平１０−１３７２７６号公報
【特許文献３】  特開平１０−１５５８２６号公報
【特許文献４】  特開２００２−２３８９３１号公報
【特許文献５】  登録実用新案第３０７１８３８号公報
【発明の開示】
【発明が解決しようとする課題】
【００１０】  本発明は前述の諸点に鑑みなされたものであって、長時間の装着に際しても使用者に負担を感じさせることなく、腰痛を効果的に緩和することは勿論、腰部ガードルの上方へのズレを防止するとともに、特に、装着に際して高齢者が一人で簡単に装着することを可能とし、さらに、素肌に直接装着しても、前述する排泄時における支障を回避し得る新規な腰部ガードルを提供することである。
【課題を解決するための手段】
【００１１】  前述の課題を解決するための本発明にかかる腰部ガードルの構成は、腰部を緊縛する腰部ガードルにおいて、腹部と臀部の上部を包含して緊縛する腹帯部と、該腹帯部の大腿部に相当する位置に大腿部外側をカバーする左右一対の大腿部の保護帯を腹帯部と一体的に形成し、前記保護帯の下端に足を挿通する裾口を設けた点に存するものである。【００１２】  また、本発明にかかる腰部ガードルの構成は、腹帯部に腰椎部位を緊縛する少なくとも一以上のゴム帯を介装した点に存するものである。【００１３】  さらに、本発明にかかる腰部ガードルの構成は、前述する腰部ガードルにおいて、腹帯部と大腿部保護帯をポリエステル繊維で形成した点に存するものである。
【発明の効果】
【００１４】  本発明にかかる腰部ガードルにあっては、腹帯部と、大腿部外側をカバーする左右一対の大腿部保護帯とを一体的に形成することにより、大腿部の内側、つまり股間の空間を大きくすることによって、排泄の際に生じる尿・便の飛散による汚損を防ぎ、長時間の装着することを可能にし、日常生活における行動を支障なく、快適なものとする。また、股関節部の近傍における筋肉は適度に保温された、常にウォームアップ状態を保て、筋肉の損傷を防止できる。【００１５】  さらに、腰部ガードルを装着するに際して、大腿部の保護帯に裾口を設けたことによって、裾口に足を挿入することによって腰部ガードルを脚部に固定し、腹帯部を締めることで装着が行えることから、高齢者における装着作業が簡単なものとなり、加えて、腰部ガードルのズレ上がりを防止することから常に身体にフィットした締めつけ状態が持続でき、腰部ガードルを装着することによって、日常的な行動に制約されること無く、また、睡眠時における寝返りなどの運動も支障なく行い得ることから、苦痛を感じることなく十分な睡眠をとることが可能となる。【００１６】  また、本発明にかかる腰部ガードルを構成する素材としてポリエステル繊維で作製すれば、入浴時にあっても装着することが可能となり、入浴も一人で行うことが可能となり、介護者の必要を無くし、より自立した生活を送ることができる。
【発明を実施するための最良の形態】
【００１７】  以下、本発明にかかる腰部ガードルの実施の形態を図１ないし図３に基づいて説明する。
１は本発明にかかる腰部ガードルを示し、臀部の上部を包含して腰椎部から下腹部を緊縛するための腹帯部２を具備すると共に、その下辺における大腿部の側面に相当する位置に腰部から大腿部の外側を保護する左右一対の大腿部の保護帯３，４を左右対称に一体的に連設してなり、腹帯部２における一方の端部近傍の表面側には平面ファスナの雄具５が、また、他方の端部近傍の表面側には平面ファスナの雌具６が縫い付けて固定されてなり、前記平面ファスナ５，６の一方、平面ファスナの雌具６を大きくすることによって使用者の体型に合わせた緊縛力を調整するようにしている。【００１８】  また、前記大腿部の保護帯３，４は、大腿部の外側を骨盤から膝関節の直上のところまで延在する長さとするのが好ましく、この保護帯３，４の下端に該保護帯３，４を大腿部下方（膝関節の上方）に止着するための、換言すれば、腰部ガードル１を大腿部に止着するための環状の裾口７、８を形成している。この裾口７，８は、足を挿通して大腿部下部位置、換言すれば、膝関節の直上位置に止着するもので、使用者の体型に合わせた緊縛力を付与するために伸縮性が要求されるもので、腰部ガードル１を形成する伸縮性の素材と同一の素材を使用することも可能であるが、より大きな伸縮性を呈する素材、例えば、ゴム繊維を使用して環状に織製し、これを保護帯３，４の下端に逢着することが推奨される。【００１９】  本発明にかかる腰部ガードル１は、素材として伸縮性を有するものであれば種々に採用しうるもので、特に、入浴時においても着用する場合にあっては、ポリエステル繊維を採用するのが好ましいもので、また、腹帯部２と保護帯３，４および裾口７，８のそれぞれは縫い目のない一枚布で構成するのが望ましいものであるが、両者を別異のもので構成する場合にあっては、素肌に直接に着用することを考慮して裏地を縫着するのが望ましい。さらに、腰部ガードル１の外周縁をバイアステープ９で縁巻きにすることにより、身体への密着性を付与することが望ましい。【００２０】  本発明にかかる腰部ガードル１の装着時において、図２に示すように、前記大腿部の保護帯３，４を大腿部の外側に位置せしめることによって、大腿部の内側、即ち、内股部分（股間部分）に充分な空間が形成されることとなり、ベルトを装着したままでの排泄時における飛散、飛沫による汚損が回避される。【００２１】  上記腰部ガードル１は図２に示すように身体に装着される。即ち、保護帯３、４が左右それぞれの大腿部における側面となるようにして、その下端に設けた環状の裾口７，８に足を挿通して、該裾口７，８が大腿部の下方位置、膝関節の直上に位置するように、かつ、腹帯部２が下腹部に捲回し得るように引き上げて調節し、次に、腹帯部２を臀部側から下腹部に捲回し、その両端を重ね合わせて平面ファスナの雄具５と雌具６で結合することで腰椎部分に対して緊縛固定する。【００２２】  腰部ガードル１の装着状態は、図２（ａ）に示す正面側、（ｂ）に示す背面図の状態を示すが、これから理解されるように、腹帯部２によって患部である腰椎部分を緊縛するが、同時に、腹帯部２に連設した保護帯３，４によって大腿部の外側を保温するとともに裾口７，８により係止するもので、大腿部��内側、即ち、股間部に大きな空間が形成されており、腰部ガードル１を装着したままでの排泄時における飛散、飛沫による汚損が回避され、また、装着者の動作に伴う腰部ガードル１のズレは保護帯３、４に設けてなる裾口７，８によって大腿部に固定されることで防止することが可能となる。【００２３】  図３に本発明にかかる腰部ガードルの他の実施例について説明するが、同一部分には同一の符号を付して説明する。
本発明にかかる腰部ガードル１は、臀部の上部を包含して腰椎部から下腹部を緊縛するための腹帯部２を具備すると共に、その下辺には腰部から大腿部の外側を保護する左右一対の大腿部の保護帯３，４を左右対称となる位置に一体的に連設され、腹帯部２における一方の端部近傍の表面側には平面ファスナの雄具５が、また、他方の端部近傍の表面側には平面ファスナの雌具６が縫い付けられ、固定されている。【００２４】  また、前述の実施例と同様に大腿部の保護帯３，４は、大腿部の外側を骨盤から膝の直上のところまで延在する長さとするのが好ましく、この保護帯３，４の下縁に該保護帯３，４を大腿部下方の止着するための環状に形成された裾口７、８を固着してなり、また、腰部ガードル１の外周縁をバイアステープ９で縁巻きにすることにより、身体への密着性を付与している。【００２５】  この実施例における腰部ガードル１は、腹帯部２に少なくとも１本の緊縛帯２０を装着するもので、この緊縛帯２０は弾性を有するゴム紐が好ましく、腹帯部２に設けたベルト通し２１に挿通するようにされている。図示の実施例においてベルト通し２１は、腹帯部２における骨盤の両側位置に相当する部分に並行する一対のスリット２２を設けてなり、該スリット２２に前記緊縛帯２０が直接に素肌に接することが無いように挿通する。【００２６】  また、緊縛帯２０の両端部は、一方の端部近傍の表面側には平面ファスナの雄具２３が、また、他方の端部近傍の表面側には平面ファスナの雌具２４が縫い付けて固定されてなり、自在に緊縛力を調整しつつ腰部を緊縛可能とし、前記平面ファスナ２３、２４の一方、平面ファスナの雌具２４を大きくすることによって使用者の体型に合わせた緊縛力を調整するようにしている。【００２７】  このように構成を採用することによって、腰椎の発症者が装着するに当たり、保護帯３、４が左右それぞれの大腿部における側面となるようにして、その下端に設けた環状の裾口７，８に足を挿通して、該裾口７，８が大腿部の下方位置、膝関節の直上に位置するように、かつ、腹帯部２が下腹部に捲回し得るように引き上げて調節し、次に、腹帯部２を臀部側から下腹部に捲回し、その両端を重ね合わせて平面ファスナの雄具５と雌具６で結合することで腰椎部分に対して緊縛固定して使用することは前述の通りである。さらに、緊縛帯２０を使用して腰椎部分を緊縛するが、緊縛帯２０を適宜に展長させて平面ファスナ２３，２４の結合位置を変更することによって苦痛のない、腰痛を緩和する緊縛力に調整する。【００２８】  このように、緊縛帯２０を使用して腰椎部分を緊縛することにより、腰痛の緩和を促進するのみならず、この腰部ガードルの使用者が肥満体であったり、また、腰部が曲がっているような場合、腰部ガードルの下方へのズレが防止でき、裾口７，８の存在と相俟って効果的な緊縛効果を奏するものである。
【図面の簡単な説明】
【００２９】
【図１】  本発明にかかる腰部ガードルの展開図
【図２】  本発明にかかる腰部ガードルの装着状態を示す説明図で、（ａ）は正面図、（ｂ）は背面図
【図３】  本発明の第２の実施例をしめす腰部ガードルの展開図
【図４】  図３中におけるＡ−Ａ線の部分拡大断面図
【符号の説明】
【００３０】    １：  腰部ガードル
２：  腹帯部
３、４：  大腿部保護帯
５：  平面ファスナ（雄）
６：  平面ファスナ（雌）
７，８：  裾口
９：  バイアステープ
２０：  緊縛帯
２１：  ベルト通し
２３：  平面ファスナ（雄）
２４：  平面ファスナ（雌）
【図１】
2007090008.tif 000003
【図２】
2007090008.tif 000004
【図３】
2007090008.tif 000005
【図４】
2007090008.tif 000006